(57)【特許請求の範囲】
【請求項１】
椅子の座板に取り付けられた背もたれ杆に、上下に長い長孔を穿設し、椅子の背もたれを構成するシェルに、前記背もたれ杆を上下に摺動案内する筒状部を設け、前記背もたれ杆の長孔に把手付ねじのねじ部を挿入し、前記筒状部の雌ねじに螺入させることにより生じる筒状部の締付力によって、前記背もたれ杆を挾圧固定して、前記背もたれの高さを調節するようにし、かつ前記筒状部を、垂直基板の中央部に、平面視コ字状の垂直の後方凹入部を設け、この後方凹入部の前面開口部に、ねじ金具を、前記開口部を閉塞するようにして溶接することにより形成したことを特徴とする椅子の背もたれの高さ調節装置。
【請求項２】
筒状部の雌ねじの周囲に切欠を設け、前記筒状部の雌ねじ近傍部分を前後方向に屈曲可能としたことを特徴とする請求項１記載の椅子の背もたれの高さ調節装置。
【請求項３】
筒状部は、アウターシェルとインナーシェルとの間に配設されていることを特徴とする請求項１または２記載の椅子の背もたれの高さ調節装置。
【請求項４】
筒状部の上部に係止片を設け、背もたれを最下限に下げたときに、背もたれ杆の上端と前記係止片とが当接するようにしたことを特徴とする請求項１〜３いずれかに記載の椅子の背もたれの高さ調節装置。
【発明の詳細な説明】
【０００１】
【発明の属する技術分野】
本発明は、椅子の背もたれの高さ調節装置に関する。
【０００２】
【従来の技術】
従来、椅子の高さ調節装置の公知例として、実開昭54-4711号公報記載のものがある。この調節装置は、上下動可能な背もたれに、楕円状の背もたれ杆を取り付けるとともに、この背もたれ杆に上下に長い案内孔を穿設し、この案内孔に締付ボルトを挿入して、背もたれ支持板のねじ受け部に螺合させることによって、背もたれ杆を締付ボルトと背もたれ支持板との間に挾圧して、背もたれの高さを、背もたれ杆の案内孔の範囲で調節して固定するようにしている。
【０００３】
【発明が解決しようとする課題】
しかし、上記公報記載の椅子の場合、締め付けボルトによる集中的な締付力を利用して背もたれの高さ調節を行うようにしているために、固定された背もたれが締付ボルトを中心に回転し易いととともに、がたつきや緩みが発生し易い。
加えて、背もたれを最下限まで不用意に下げると、締付ボルトが受止部に当接して衝撃がかかり、締付ボルトが変形したり、破損したりする虞があり、耐久性に劣るという問題がある。
【０００４】
また、締付ボルトの締付力によって背もたれ杆が潰れやすく、緩みやガタの原因となり、そのため、背もたれを背もたれ支持板に確実に固定することができなくなる。
【０００５】
本発明は、従来の技術が有する上述のような問題点に鑑みてなされたもので、背もたれのがたつきや緩みのない確実な固定が可能で、かつデザイン的にも優れているとともに、長期間の使用に対する耐久性を備えた椅子の背もたれの高さ調節装置を提供することを目的とする。
【０００６】
【課題を解決するための手段】
本発明は、次のようにして上記課題を解決している。
(１)椅子の座板に取り付けられた背もたれ杆に、上下に長い長孔を穿設し、椅子の背もたれを構成するシェルに、前記背もたれ杆を上下に摺動案内する筒状部を設け、前記背もたれ杆の長孔に把手付ねじのねじ部を挿入し、前記筒状部の雌ねじに螺入させることにより生じる筒状部の締付力によって、前記背もたれ杆を挾圧固定して、前記背もたれの高さを調節するようにし、かつ前記筒状部を、垂直基板の中央部に、平面視コ字状の垂直の後方凹入部を設け、この後方凹入部の前面開口部に、ねじ金具を、前記開口部を閉塞するようにして溶接することにより形成する。
【０００７】
(２)上記(１)項において、筒状部の雌ねじの周囲に切欠を設け、前記筒状部の雌ねじ近傍部分を前後方向に屈曲可能とする。
【０００８】
(３)上記(１)項または(２)項において、筒状部を、アウターシェルとインナーシェルとの間に配設する。
【０００９】
(４)上記(１)項〜(３)項のいずれかにおいて、筒状部の上部に係止片を設け、背もたれを最下限に下げたときに、背もたれ杆の上端と前記係止片とが当接するようにする。
【００１０】
【発明の実施の形態】
次に、本発明に係る椅子の高さ調節装置の実施形態について添付図面を参照しながら説明する。
【００１１】
図１は、本実施形態の椅子の背もたれの高さ調節装置を前上方から見た分解斜視図、図２は、図１の椅子の背もたれの横断面図である。
【００１２】
図１に示すように、本実施形態の高さ調節装置は、背もたれ(10)と、背もたれ杆(12)と、座板(14)等とを具備し、背もたれ(10)は、後述する構成により、座板(14)に固定されている背もたれ杆(12)に沿って上下動可能となっている。座板(14)には、図示しないクッション材等を取り付けて、椅子の座部が構成される。
【００１３】
背もたれ(10)は、表皮材(18)、クッション材(20)、インナーシェル(22)、アウターシェル(24)、スライド金具(26)、ねじ金具(28)を備え、表皮材(18)及びクッション材(20)は、インナーシェル(22)に公知の手段によって固定されている。
【００１４】
図２に示すように、インナーシェル(22)には、スライド金具(26)及びねじ金具(28)が、止めねじ(30)によって取り付けられ、これにより、インナーシェル(22)とアウターシェル(24)とは、背もたれ(10)と一体的に上下動可能になっている。
【００１５】
図３は、スライド金具(26)及びねじ金具(28)の正面図、図４は、それらの平面図である。スライド金具(26)は、図４に示すように、垂直基板(26a)の中央部に、平面視コ字状の垂直の後方凹入部(26b)を設けてなり、後方凹入部(26b)の前面開口部には、ねじ金具(28)が溶接によって開口部を閉塞するようにして取り付けられ、これにより、平面視ほぼ四角形状の筒状部(29)が形成されている。
【００１６】
筒状部(29)には、楕円状の背もたれ杆(12)が挿入され、その上下動を案内している。ねじ金具(28)の適所には、把手付ねじ(34)のねじ部(34a)が螺合する雌ねじとしてのナット(32)が溶接されている。
【００１７】
図５は、背もたれ(10)を最下限の高さまで下げた状態を示す側断面図である。同図に示すように、筒状部(29)の上部には、スライド金具(26)の後向凹入部(26b)の中央を折曲げることによって、前方を向く係止片(26c)が形成されている。この係止片(26c)は、背もたれ(10)を最下限の高さまで下げたときに、背もたれ杆(12)の上端と当接し、背もたれ(10)が不用意に下がって、把手付ねじ(34)のねじ部(34a)に剪断力が生じて損傷するのを防止するためのものである。
【００１８】
図３に示すように、ねじ金具(28)の前面下部のナット(32)を囲んで、上向コ字状の切欠(35)が穿設されている。この切欠(35)は、図１に示す把手付ねじ(34)をナット(32)に螺合させて締め付けたときに、ねじ金具(28)が背もたれ杆(12)側に屈曲しやすくする働きを有している。つまり、背もたれ杆(12)を挾圧固定する際に、ねじ金具(28)が背もたれ杆(12)側に撓むことによって、背もたれ杆(12)の表面に面接触し易くするものである。
【００１９】
図１に示すように、把手付ねじ(34)の後端には、把持部(34b)が設けられている。座板(14)には、背もたれ杆(12)が、ピン(38)により傾動可能に取り付けられ、背もたれ杆(12)の上部には、上下に長い長孔(36)が穿設されている。
【００２０】
長孔(36)には、把手付ねじ(34)のねじ部(34a)が挿入され、このねじ部(34a)を、ねじ金具(28)のナット(32)に螺合することによって、背もたれ杆(12)を、スライド金具(26)とねじ金具(28)との間、つまり、筒状部(29)に挾圧して、背もたれ(10)を任意の高さ位置で固定する。即ち、把手付ねじ(34)の締付力によって、ねじ金具(28)のナット(32)の近傍部分が背もたれ杆(12)の方向に屈曲し、背もたれ杆(12)の表面に面接触して、その摩擦力により、背もたれ(10)は固定される。
【００２１】
そのため、背もたれ(10)を固定する把手付ねじ(34)による締付力は、背もたれ杆(12)の１点に集中することはなく、背もたれ杆(12)が、把手付ねじ(34)による締付力によって潰されるのを未然に防ぐことができる。これにより、締付時の緩みやがたつきは、効果的に防止されることとなる。
【００２２】
このように、本実施形態の高さ調節装置によれば、背もたれ(10)の固定時に、背もたれ杆(12)にかかる締付力を分散させて、背もたれ杆(12)の損傷を防止することができ、長期間の使用に耐えるようにすることができる。
【００２３】
また、スライド金具(26)及びねじ金具(28)によって形成された筒状部(29)に生じる締付力によって、背もたれ杆(12)を固定するようにしているので、シェルに従来のような強度が要求されなくなり、アウターシェル(24)にリブを設けたり、厚肉構造とする必要がなく、美観が向上するとともに、軽量化が図られる。
【００２４】
さらに、背もたれ杆(12)を、上下に長い筒状部(29)で案内しているため、背もたれ杆(12)が把手付ねじ(34)を中心に回転することはなく、背もたれ(10)のがたつきや、緩みを防止することができる。
【００２５】
本実施形態では、背もたれ杆(12)の形状を、ほぼだ円形としているが、筒状部(29)の断面形状に合わせた形状に形成されることは勿論である。
また、本実施形態では、筒状部(29)を、スライド金具(26)及びねじ金具(28)の２つの部材を用いて形成しているが、これに限らず、筒状に形成した１つの部材としてもよい。
【００２６】
【発明の効果】
本発明によれば、次のような効果を奏することができる。
(ａ)請求項１の発明によると、使用中に背もたれのがたつきや緩みが生じることはなく、長期間の使用に対する耐久性を向上させることができる。
【００２７】
(ｂ)請求項２の発明によると、筒状部に切欠を設け、筒状部の雌ねじ部近傍を前後方向に屈曲可能としているので、背もたれ杆の表面に面接触し易くなり、背もたれ杆にかかる締付力を分散させることができ、背もたれ杆の潰れを防止できる。
【００２８】
(ｃ)請求項３の発明によると、筒状部を、アウターシェルとインナーシェルとの間に配設しているので、見栄えがよくなる。
【００２９】
(d)請求項４の発明によると、背もたれを最下限まで下げたときに、背もたれ杆の上端と、筒状部上部の係止片とが当接して背もたれの下方への移動を規制するようにしているので、背もたれの不用意な下方への移動を防止でき、把手付ねじ等の損傷を防止できる。
【図面の簡単な説明】
【図１】  本発明の椅子の高さ調節装置の一実施形態を適用した椅子の要部を前上方から見た分解斜視図である。
【図２】  図１における椅子の背もたれの横断面図である。
【図３】  上記実施形態の主要構成部材であるスライド金具及びねじ金具の正面図である。
【図４】  図３に示すスライド金具及びねじ金具の平面図である。
【図５】  背もたれを最下限の高さまで下げた状態を示す側断面図である。
【符号の説明】
(10)背もたれ
(12)背もたれ杆
(14)座板
(18)表皮材
(20)クッション材
(22)インナーシェル
(24)アウターシェル
(26)スライド金具
(26a)垂直基板
(26b)後向凹入部
(26c)係止片
(28)ねじ金具
(29)筒状部
(30)止めねじ
(32)ナット
(34)把手付ねじ
(34a)ねじ部
(34b)把持部
(35)切欠
(36)長孔
(38)ピン
【図１】
0004008567.tif 000002
【図２】
0004008567.tif 000003
【図３】
0004008567.tif 000004
【図４】
0004008567.tif 000005
【図５】
0004008567.tif 000006